(57)【要約】      （修正有）【課題】複数の実際の保管単位に、別々に保管されている実際の文書類についても、文書類アイコン、保管単位アイコン及び仮想カテゴリを利用して簡単に管理することができるといった、高性能な文書類管理装置を提供する。【解決手段】実際の文書類Ｓ及び実際の保管単位Ｚからこれらを連携管理する連携管理情報に基づいて、文書類アイコンｉＳ及び保管単位アイコンｉＺを用いて表示する連携関係表示手段１ｂと、連携関係表示手段１ｂにより表示される文書類アイコンｉＳ及び保管単位アイコンｉＺに対する、仮想カテゴリｉＣの登録命令を受け付ける仮想カテゴリ登録命令受付手段１ｃと、文書類アイコンｉＳ、保管単位アイコンｉＺ及び仮想カテゴリｉＣの連携関係を管理する連携関係管理手段１ｄとを具備するようにした。【選択図】図３
2006277050.tif 000002
【特許請求の範囲】
【請求項１】
ファイルボックスや棚等の実際の保管単位に保管される実際の文書類を、前記実際の文書類に対応して設けた文書類アイコンと前記実際の保管単位に対応して設けた保管単位アイコンとを仮想的に連携させるための仮想カテゴリを少なくとも用いて管理するように構成した装置であって、
前記実際の文書類及び実際の保管単位からこれらを連携管理するための連携管理情報を取得する連携管理情報取得手段と、
前記連携管理情報取得手段で取得した連携管理情報に基づいて、前記実際の文書類及び実際の保管単位の連携関係を、前記文書類アイコン及び保管単位アイコンを用いて表示する連携関係表示手段と、
前記連携関係表示手段により表示される文書類アイコン及び保管単位アイコンに対する、前記仮想カテゴリの登録位置の指定に係る命令と、前記仮想カテゴリの連携対象の指定に係る命令とを、前記仮想カテゴリの登録命令として受け付ける仮想カテゴリ登録命令受付手段と、
前記仮想カテゴリ登録命令受付手段で受け付けた登録命令にしたがって連携した、文書類アイコン、保管単位アイコン及び仮想カテゴリの連携関係を管理する連携関係管理手段とを具備することを特徴とする文書類管理装置。
【請求項２】
前記文書類アイコンを、電子文書類にも対応して設け、且つ、前記連携管理情報取得手段が、電子文書類からも連携管理情報を取得し得るように構成し、さらに、前記連携関係表示手段が、前記実際の文書類、電子文書類及び実際の保管単位の連携関係を、前記文書類アイコン及び保管単位アイコンを用いて表示するように構成していることを特徴とする請求項１記載の文書類管理装置。
【請求項３】
前記連携管理情報が、実際の文書類又は実際の保管単位についてのものである場合には、その保管場所を示すロケーション情報を少なくとも含むものであるか、又は、前記ロケーション情報と関連付けてなるものであることを特徴とする請求項１または２記載の文書類管理装置。
【請求項４】
前記実際の保管単位に使用する印刷対象物の種類の選択を要求するとともに、選択した印刷対象物に対して各印刷対象物ごとに予め決められた位置に自動的に前記連携管理情報を印字出力する印刷対象物出力支援手段を具備していることを特徴とする請求項１乃至３いずれか記載の文書類管理装置。
【請求項５】
前記印刷対象物が、前記実際の保管単位に貼着可能なラベルであることを特徴とする請求項４記載の文書類管理装置。
【請求項６】
前記印刷対象物出力支援手段で印字出力する連携管理情報が、ハンディターミナル等の携帯型読取装置で読み取り可能な二次元バーコード化したものであることを特徴とする請求項４又は５記載の文書類管理装置。
【請求項７】
前記連携関係管理手段が、文書類アイコン、保管単位アイコン及び仮想カテゴリを階層的に管理するものであることを特徴とする請求項１乃至６いずれか記載の文書類管理装置。
【請求項８】
前記保管単位アイコンが、実際の文書類の保管に用いるファイルボックス等の実際の保管用用品と対応して設けた保管用用品アイコンと、実際の文書類又は実際の保管用用品の保管に用いる棚等の実際の保管用家具と対応して設けた保管用家具アイコンとを有するものであることを特徴とする請求項１乃至７いずれか記載の文書類管理装置。
【請求項９】
前記仮想カテゴリ登録命令受付手段で、文書類アイコンと保管用用品アイコンとの間、または、複数の保管用家具アイコン間に、仮想カテゴリを登録する命令を受け付けた場合に、その仮想カテゴリを登録ルールの体系違反により登録不能である旨を報知する体系違反報知手段を具備していることを特徴とする請求項８記載の文書類管理装置。
【請求項１０】
前記仮想カテゴリ登録命令受付手段で、予め設定された階層数を超えて、仮想カテゴリを登録する命令を受け付けた場合に、その仮想カテゴリを登録ルールの階層数違反により登録不能である旨を報知する階層数違反報知手段を具備していることを特徴とする請求項1乃至９いずれか記載の文書類管理装置。
【請求項１１】
前記仮想カテゴリ登録命令受付手段が、前記連携関係管理手段において管理している仮想カテゴリの削除、登録位置の変更をさらに受け付け得るものであることを特徴とする請求項１乃至１０いずれか記載の文書類管理装置。
【請求項１２】
前記仮想カテゴリ登録命令受付手段で、前記連携関係管理手段において管理している連携関係の変更に係る登録命令を仮として受け付けた場合に、その登録命令実施後の連携関係が仮想カテゴリの登録ルールに従うものであるか否かを判断する変更登録命令適否判断手段を具備し、前記変更登録命令適否判断手段で適していると判断した場合には、仮想カテゴリ登録命令受付手段がその登録命令を正式に受け付けるように構成する一方、適していないと判断した場合には、その登録命令を正式に受け付けないように構成していることを特徴とする請求項１１記載の文書類管理装置。
【請求項１３】
前記変更登録命令適否判断手段で適していると判断した場合において、新たな仮想カテゴリの登録が必要となるときには、
前記連携関係管理手段が、その新たな仮想カテゴリの登録を自動的に行うとともに、前記連携関係表示手段が、その新たな仮想カテゴリの表示を行うように構成していることを特徴とする請求項１２記載の文書類管理装置。
【請求項１４】
前記変更登録命令適否判断手段で適していると判断した場合において、既存の仮想カテゴリの登録が不必要となるときには、
前記連携関係管理手段が、その不必要な仮想カテゴリの登録を自動的になくすとともに、前記連携関係表示手段が、その不必要な仮想カテゴリの表示を行なわないように構成していることを特徴とする請求項１２又は１３記載の文書類管理装置。
【請求項１５】
当該装置の利用者を識別可能な利用者情報と、仮想カテゴリの登録、削除、変更、表示などの利用に係る利用履歴情報とを記憶する利用履歴記憶手段を具備していることを特徴とする請求項１乃至１４いずれか記載の文書類管理装置。
【請求項１６】
前記仮想カテゴリをキーとした検索を行うための検索支援手段を具備していることを特徴とする請求項１乃至１５いずれか記載の文書類管理装置。
【請求項１７】
前記仮想カテゴリの登録に係る仮想カテゴリ登録権限情報を取得する仮想カテゴリ登録権限取得手段と、
前記仮想カテゴリ登録権限取得手段で取得した仮想カテゴリ登録権限情報に基づいて、前記仮想カテゴリ登録命令受付手段における仮想カテゴリの登録命令の受付を許可又は拒否する仮想カテゴリ登録制限手段とを具備していることを特徴とする請求項１乃至１６いずれか記載の文書類管理装置。
【請求項１８】
仮想カテゴリの表示に係る表示権限情報を取得する表示権限情報取得手段と、
前記表示権限情報取得手段で取得した表示権限情報に基づいて、仮想カテゴリにより連携関係にある文書類アイコン及び保管単位アイコンの表示を制限する表示制限手段とを具備していることを特徴とする請求項１乃至１７いずれか記載の文書類管理装置。
【請求項１９】
前記連携関係管理手段で管理している連携関係について、その連携関係が適切に保たれているか否かの検査をするチェック手段を具備していることを特徴とする請求項１乃至１８いずれか記載の文書類管理装置。
【請求項２０】
前記連携関係管理手段が連携関係を管理している場合としていない場合とで、連携関係表示手段で表示する文書類アイコンと保管単位アイコンとの表示態様を異なるように構成していることを特徴とする請求項１乃至１９いずれか記載の文書類管理装置。
【請求項２１】
前記連携関係表示手段が、保管単位アイコンをツリー構造のルートとした保管単位視点表示、および、仮想カテゴリをツリー構造のルートとした仮想カテゴリ視点表示のいずれか一方を選択表示するものであり、
前記いずれか一方の視点表示を選択する旨の命令を受け付けるための視点表示選択命令受付手段を具備していることを特徴とする請求項１乃至２０いずれか記載の文書類管理装置。
【請求項２２】
棚卸等のイベントの発生に係るイベント発生情報を取得するイベント発生情報取得手段を具備し、
このイベント発生情報取得手段が、イベント発生情報を取得した場合には、前記仮想カテゴリ登録命令受付手段が、新たな仮想カテゴリの登録命令を受け付けないように構成していることを特徴とする請求項１乃至２１いずれか記載の文書類管理装置。
【請求項２３】
不要な文書類アイコン、保管単位アイコン、又は仮想カテゴリを、年限が来たときに削除することを前提として一時的に保存しておく一時保存手段を具備していることを特徴とする請求項１乃至２２いずれか記載の文書類管理装置。
【請求項２４】
前記一時保存手段に保存している文書類アイコン、保管単位アイコン、又は仮想カテゴリに係る年限の延長のための年限延長情報を受け付ける年限情報受付手段を具備していることを特徴とする請求項１乃至２３いずれか記載の文書類管理装置。
【請求項２５】
前記年限延長情報受付手段が、文書類アイコン、保管単位アイコン、又は仮想カテゴリの、ドラッグアンドドロップ操作による移動先に当る年限延長用アイコンを利用して構成したものであることを特徴とする請求項２４記載の文書類管理装置。
【請求項２６】
コンピュータを作動させて、ファイルボックスや棚等の実際の保管単位に保管される実際の文書類を、前記実際の文書類に対応して設けた文書類アイコンと前記実際の保管単位に対応して設けた保管単位アイコンとを仮想的に連携させるための仮想カテゴリを少なくとも用いて管理するようにするためのプログラムであって、
コンピュータを、
前記実際の文書類及び実際の保管単位からこれらを連携管理するための連携管理情報を取得する連携管理情報取得手段と、
前記連携管理情報取得手段で取得した連携管理情報に基づいて、前記実際の文書類及び実際の保管単位の連携関係を、前記文書類アイコン及び保管単位アイコンを用いて表示する連携関係表示手段と、
前記連携関係表示手段により表示される文書類アイコン及び保管単位アイコンに対する、前記仮想カテゴリの登録位置の指定に係る命令と、前記仮想カテゴリの連携対象の指定に係る命令とを、前記仮想カテゴリの登録命令として受け付ける仮想カテゴリ登録命令受付手段と、
前記仮想カテゴリ登録命令受付手段で受け付けた登録命令にしたがって連携した、文書類アイコン、保管単位アイコン及び仮想カテゴリの連携関係を管理する連携関係管理手段として機能させるための文書類管理用プログラム。
【請求項２７】
ファイルボックスや棚等の実際の保管単位に保管される実際の対象物を、前記実際の対象物に対応して設けた対象物アイコンと前記実際の保管単位に対応して設けた保管単位アイコンとを仮想的に連携させる仮想カテゴリを少なくとも用いて管理するように構成した装置であって、
前記実際の対象物及び実際の保管単位からこれらを連携管理するための連携管理情報を取得する連携管理情報取得手段と、
前記連携管理情報取得手段で取得した連携管理情報に基づいて、前記実際の対象物及び実際の保管単位の連携関係を、前記対象物アイコン及び保管単位アイコンを用いて表示する連携関係表示手段と、
前記連携関係表示手段により表示される対象物アイコン及び保管単位アイコンに対する、前記仮想カテゴリの登録位置の指定に係る命令と、前記仮想カテゴリの連携対象の指定に係る命令とを、前記仮想カテゴリの登録命令として受け付ける仮想カテゴリ登録命令受付手段と、
前記仮想カテゴリ登録命令受付手段で受け付けた登録命令にしたがって連携した、対象物アイコン、保管単位アイコン及び仮想カテゴリの連携関係を管理する連携関係管理手段とを具備することを特徴とする対象物管理装置。
【発明の詳細な説明】
【技術分野】
【０００１】
本発明は、紙等の文書類を管理する際に用いる文書類管理装置等に関するものである。
【背景技術】
【０００２】
従来から、入力されたファイリング用具の種類及びタイトルにより形成した個別レコードを管理するとともに、入力したタイトルを実際のファイリング用具に添着して使用することにより、ユーザが書類等について、単にファイリング用具を選択しラベリング作業を行なっていくだけで、その他のことを何ら意識せずとも、書類等の分類と体系化が自然に行われるようにした管理装置が知られている（例えば、特許文献１参照）。
【特許文献１】特開平２０００−３３５１６３号公報
【発明の開示】
【発明が解決しようとする課題】
【０００３】
ところが、従来の構成では、実際のファイリング用具等を階層的に管理し得るものの、例えば、複数の棚に、別々に保管されている実際のファイリング用具同士を連携して管理することが困難であるといった問題点を有している。
【０００４】
本発明は、このような課題に着目してなされたものであって、主たる目的は、複数の実際の保管単位に、別々に保管されている実際の文書類についても、簡単に管理することが可能な高性能な文書類管理装置を提供することにある。
【課題を解決するための手段】
【０００５】
すなわち、本発明の文書類管理装置は、ファイルボックスや棚等の実際の保管単位に保管される実際の文書類を、前記実際の文書類に対応して設けた文書類アイコンと前記実際の保管単位に対応して設けた保管単位アイコンとを仮想的に連携させるための仮想カテゴリを少なくとも用いて管理するように構成した装置であって、前記実際の文書類及び実際の保管単位からこれらを連携管理するための連携管理情報を取得する連携管理情報取得手段と、前記連携管理情報取得手段で取得した連携管理情報に基づいて、前記実際の文書類及び実際の保管単位の連携関係を、前記文書類アイコン及び保管単位アイコンを用いて表示する連携関係表示手段と、前記連携関係表示手段により表示される文書類アイコン及び保管単位アイコンに対する、前記仮想カテゴリの登録位置の指定に係る命令と、前記仮想カテゴリの連携対象の指定に係る命令とを、前記仮想カテゴリの登録命令として受け付ける仮想カテゴリ登録命令受付手段と、前記仮想カテゴリ登録命令受付手段で受け付けた登録命令にしたがって連携した、文書類アイコン、保管単位アイコン及び仮想カテゴリの連携関係を管理する連携関係管理手段とを具備することを特徴とする。
【０００６】
このようなものであれば、連携管理情報取得手段が、実際の文書類及び実際の保管単位から連携管理情報を取得すると、連携関係表示手段が、取得した連携管理情報に基づいて、前記実際の文書類及び実際の保管単位の連携関係を、前記文書類アイコン及び保管単位アイコンを用いて表示する。次に、仮想カテゴリ登録命令受付手段が、連携関係表示手段により表示される文書類アイコン及び保管単位アイコンに対する、前記仮想カテゴリの登録位置の指定に係る命令と、前記仮想カテゴリの連携対象の指定に係る命令とを、前記仮想カテゴリの登録命令として受け付けると、連携関係管理手段が、前記仮想カテゴリ登録命令受付手段で受け付けた登録命令にしたがって連携した、文書類アイコン、保管単位アイコン及び仮想カテゴリの連携関係を管理するとともに、連携関係表示手段が、それらの連携関係を表示するように動作する。
【０００７】
すなわち、複数の実際の保管単位に、別々に保管されている実際の文書類についても、文書類アイコン、保管単位アイコン及び仮想カテゴリを利用して簡単に管理することができるといった、高性能な文書類管理装置を提供することができる。
【０００８】
なお、電子文書類についても、さらに連携管理をすることができるようにするためには、前記文書類アイコンを、電子文書類にも対応して設け、且つ、前記連携管理情報取得手段が、電子文書類からも連携管理情報を取得し得るように構成し、さらに、前記連携関係表示手段が、前記実際の文書類、電子文書類及び実際の保管単位の連携関係を、前記文書類アイコン及び保管単位アイコンを用いて表示するように構成していることが好ましい。
【０００９】
前記連携管理情報が、実際の文書類又は実際の保管単位についてのものである場合には、その保管場所を示すロケーション情報を少なくとも含むものであるか、又は、前記ロケーション情報と関連付けてなるものであれば、実際の文書類及び実際の保管単位の連携管理を、実際の保管場所と有効に連携させて行うことができる。
【００１０】
前記実際の保管単位に使用する印刷対象物の種類の選択を要求するとともに、選択した印刷対象物に対して各印刷対象物ごとに予め決められた位置に自動的に前記連携管理情報を印字出力する印刷対象物出力支援手段を具備しているのであれば、印刷対象物を選択すれば、選択した印刷対象物における予め決められた位置に、自動的に連携管理情報が印字出力されるため、入力の手間等を大幅に削減することができる。ここで、「印刷対象物」とは、プリンタ等を利用して印刷できるものを指し、紙製のものに限られず、例えば、プラスチック製のもの等、印刷可能なものであれば、その材質、形状などは問わない。また、他のものに対して貼り付け可能であるか否かも問わない。
【００１１】
そして、前記印刷対象物が、前記実際の保管単位に貼着可能なラベルであれば、特別なコストアップを要さず汎用性に富むものとすることができる。
【００１２】
前記印刷対象物出力支援手段で印字出力する連携管理情報が、ハンディターミナル等の携帯型読取装置で読み取り可能な二次元バーコード化したものであれば、一次元のバーコードと比べ小型化しながらも多くの情報を取り扱うことができる。
【００１３】
前記連携関係管理手段が、文書類アイコン、保管単位アイコン及び仮想カテゴリを階層的に管理するものであれば、連携管理のチェックなどを容易に行うことができる。
【００１４】
実際に保管に用いる物と対応した適切な連携管理を行えるようにするためには、前記保管単位アイコンが、実際の文書類の保管に用いるファイルボックス等の実際の保管用用品と対応して設けた保管用用品アイコンと、実際の文書類又は実際の保管用用品の保管に用いる棚等の実際の保管用家具と対応して設けた保管用家具アイコンとを有するものであることが好ましい。
【００１５】
管理体系が無用に煩雑になることを防止するためには、前記仮想カテゴリ登録命令受付手段で、文書類アイコンと保管用用品アイコンとの間、または、複数の保管用家具アイコン間に、仮想カテゴリを登録する命令を受け付けた場合に、その仮想カテゴリを登録ルールの体系違反により登録不能である旨を報知する体系違反報知手段を具備していることが望ましい。
【００１６】
管理体系が無用に煩雑になることを防止する他の態様としては、前記仮想カテゴリ登録命令受付手段で、予め設定された階層数を超えて、仮想カテゴリを登録する命令を受け付けた場合に、その仮想カテゴリを登録ルールの階層数違反により登録不能である旨を報知する階層数違反報知手段を具備しているものが挙げられる。
【００１７】
前記仮想カテゴリ登録命令受付手段が、前記連携関係管理手段において管理している仮想カテゴリの削除、登録位置の変更をさらに受け付け得るものであるのであれば、仮想カテゴリ登録後の変動にも容易に対応できるので、使い勝手が向上する。
【００１８】
前記仮想カテゴリ登録命令受付手段で、前記連携関係管理手段において管理している連携関係の変更に係る登録命令を仮として受け付けた場合に、その登録命令実施後の連携関係が仮想カテゴリの登録ルールに従うものであるか否かを判断する変更登録命令適否判断手段を具備し、前記変更登録命令適否判断手段で適していると判断した場合には、仮想カテゴリ登録命令受付手段がその登録命令を正式に受け付けるように構成する一方、適していないと判断した場合には、その登録命令を正式に受け付けないように構成しているのであれば、操作に不慣れな利用者であっても、容易に操作をすることができる。
【００１９】
不慣れな利用者であっても当該装置を簡単に操作できるようにするための態様としては、前記変更登録命令適否判断手段で適していると判断した場合において、新たな仮想カテゴリの登録が必要となるときには、前記連携関係管理手段が、その新たな仮想カテゴリの登録を自動的に行うとともに、前記連携関係表示手段が、その新たな仮想カテゴリの表示を行うように構成しているものや、或いは、前記変更登録命令適否判断手段で適していると判断した場合において、既存の仮想カテゴリの登録が不必要となるときには、前記連携関係管理手段が、その不必要な仮想カテゴリの登録を自動的になくすとともに、前記連携関係表示手段が、その不必要な仮想カテゴリの表示を行なわないように構成しているものが挙げられる。
【００２０】
当該装置の利用者を識別可能な利用者情報と、仮想カテゴリの登録、削除、変更、表示などの利用に係る利用履歴情報とを記憶する利用履歴記憶手段を具備しているのであれば、例えば、不正な操作の追跡を容易に行うことができ、セキュリティの高い文書類管理装置を提供することができる。
【００２１】
検索時の利便性を向上するには、前記仮想カテゴリをキーとした検索を行うための検索支援手段を具備していることが好ましい。
【００２２】
前記仮想カテゴリの登録に係る仮想カテゴリ登録権限情報を取得する仮想カテゴリ登録権限取得手段と、前記仮想カテゴリ登録権限取得手段で取得した仮想カテゴリ登録権限情報に基づいて、前記仮想カテゴリ登録命令受付手段における仮想カテゴリの登録命令の受付を許可又は拒否する仮想カテゴリ登録制限手段とを具備しているのであれば、無用な仮想カテゴリの登録を防止することができる。
【００２３】
仮想カテゴリの表示に係る表示権限情報を取得する表示権限情報取得手段と、前記表示権限情報取得手段で取得した表示権限情報に基づいて、仮想カテゴリにより連携関係にある文書類アイコン及び保管単位アイコンの表示を制限する表示制限手段とを具備しているのであれば、機密性を向上することができる。
【００２４】
実際の文書類の不用意な移動などにより、連携関係に崩れが生じているか否かを知るためには、前記連携関係管理手段で管理している連携関係について、その連携関係が適切に保たれているか否かの検査をするチェック手段を具備していることが好ましい。
【００２５】
ここで、「連携関係が適切に保たれているか否かの検査」には、例えば、一の実際の保管単位が他の実際の保管単位に対して収納できるか否かを検査するもの等が挙げられる。
【００２６】
前記連携関係管理手段が連携関係を管理している場合としていない場合とで、連携関係表示手段で表示する文書類アイコンと保管単位アイコンとの表示態様を異なるように構成しているのであれば、アイコンを見るだけで、連携関係が管理されているか否かを即座に知ることができる。
【００２７】
前記連携関係表示手段が、保管単位アイコンをツリー構造のルートとした保管単位視点表示、および、仮想カテゴリをツリー構造のルートとした仮想カテゴリ視点表示のいずれか一方を選択表示するものであり、前記いずれか一方の視点表示を選択する旨の命令を受け付けるための視点表示選択命令受付手段を具備しているのであれば、保管単位視点表示で表示した場合には、ルートにある実際の保管単位と親子関係にある物を知ることができる一方、仮想カテゴリ視点表示で表示した場合には、ルートにある仮想カテゴリと親子関係にある物を知ることができる。
【００２８】
棚卸等のイベントの発生に係るイベント発生情報を取得するイベント発生情報取得手段を具備し、このイベント発生情報取得手段が、イベント発生情報を取得した場合には、前記仮想カテゴリ登録命令受付手段が、新たな仮想カテゴリの登録命令を受け付けないように構成しているのであれば、例えば、棚卸に係るイベントが発生した場合のように、仮想カテゴリ等の連携関係を変更したくないときに、仮想カテゴリが無用に登録されてしまうといった不具合を防止することができる。
【００２９】
ここで、「イベント発生情報」とは、イベントが発生したという事実に加え、イベントが将来的に発生するという将来の情報をも含む概念である。なお、イベント発生情報は、例えば、外部の装置（例えば、携帯型読取装置）から取得することを妨げない。
【００３０】
不要な文書類アイコン、保管単位アイコン、又は仮想カテゴリを、年限が来たときに削除することを前提として一時的に保存しておく一時保存手段を具備しているのであれば、アイコンなどの整理を好適に行うことができ、使い勝手が向上する。
【００３１】
前記一時保存手段に保存している文書類アイコン、保管単位アイコン、又は仮想カテゴリに係る年限の延長のための年限延長情報を受け付ける年限情報受付手段を具備しているのであれば、管理の実情に応じて年限を延長でき、使い勝手が格段に向上する。
【００３２】
前記年限延長情報受付手段が、文書類アイコン、保管単位アイコン、又は仮想カテゴリの、ドラッグアンドドロップ操作による移動先に当る年限延長用アイコンを利用して構成したものであれば、簡単な操作で年限の延長を行うことが可能となる。
【００３３】
また、本発明の対象物管理装置を用いて、文房具や部品等、実際の保管単位に保管され得る三次元形状を有する実際の対象物を連携管理できるようにするには、ファイルボックスや棚等の実際の保管単位に保管される実際の対象物を、前記実際の対象物に対応して設けた対象物アイコンと前記実際の保管単位に対応して設けた保管単位アイコンとを仮想的に連携させる仮想カテゴリを少なくとも用いて管理するように構成した対象物管理装置であって、当該対象物管理装置を、前記実際の対象物及び実際の保管単位からこれらを連携管理するための連携管理情報を取得する連携管理情報取得手段と、前記連携管理情報取得手段で取得した連携管理情報に基づいて、前記実際の対象物及び実際の保管単位の連携関係を、前記対象物アイコン及び保管単位アイコンを用いて表示する連携関係表示手段と、前記連携関係表示手段により表示される対象物アイコン及び保管単位アイコンに対する、前記仮想カテゴリの登録位置の指定に係る命令と、前記仮想カテゴリの連携対象の指定に係る命令とを、前記仮想カテゴリの登録命令として受け付ける仮想カテゴリ登録命令受付手段と、前記仮想カテゴリ登録命令受付手段で受け付けた登録命令にしたがって連携した、対象物アイコン、保管単位アイコン及び仮想カテゴリの連携関係を管理する連携関係管理手段とを具備するように構成したものが挙げられる。
【発明の効果】
【００３４】
以上説明したように本発明の連携管理情報取得手段によれば、実際の文書類及び実際の保管単位から連携管理情報を取得すると、連携関係表示手段が、取得した連携管理情報に基づいて、前記実際の文書類及び実際の保管単位の連携関係を、前記文書類アイコン及び保管単位アイコンを用いて表示する。次に、仮想カテゴリ登録命令受付手段が、連携関係表示手段により表示される文書類アイコン及び保管単位アイコンに対する、前記仮想カテゴリの登録位置の指定に係る命令と、前記仮想カテゴリの連携対象の指定に係る命令とを、前記仮想カテゴリの登録命令として受け付けると、連携関係管理手段が、前記仮想カテゴリ登録命令受付手段で受け付けた登録命令にしたがって連携した、文書類アイコン、保管単位アイコン及び仮想カテゴリの連携関係を管理するとともに、連携関係表示手段が、それらの連携関係を表示するように動作する。
【００３５】
すなわち、複数の実際の保管単位に、別々に保管されている実際の文書類についても、文書類アイコン、保管単位アイコン及び仮想カテゴリを利用して簡単に管理することができるといった、高性能な文書類管理装置を提供することができる。
【発明を実施するための最良の形態】
【００３６】
以下、本発明の一実施形態を、図面を参照して説明する。
【００３７】
本発明に係る文書類管理装置Ｐは、サーバとしての機能に加え、一般的な情報処理機能を有し、図１に示すように、実際の文書類Ｓ（図示せず）を保管するためのファイルボックスＲ１や棚Ｑ１等の実際の保管単位Ｚと、二次元バーコードＢＣを読み取り可能なハンディターミナル等の携帯型読取装置ＨＴとともにオフィス等で使用されるものであって、図２に示すように、ＣＰＵ１０１、内部メモリ１０２、ＨＤＤ等の外部記憶装置１０３、マウスやキーボードなどの入力装置１０４、液晶ディスプレイなどの表示装置１０５、ＬＡＮ、広域イーサネット又はインターネットＩＮＴ等の通信回線網に接続するための通信インタフェース１０６、前記携帯型読取装置ＨＴと通信するための読取装置用通信インタフェース１０７、および、図示しないプリンタと通信するための印刷用インタフェース１０８等を具備している。
【００３８】
そして、この文書類管理装置Ｐは、その内部メモリ１０２に記憶された文書類管理プログラムにしたがって前記ＣＰＵ１０１や周辺機器を作動し、図３に示すように、連携管理情報取得手段１ａ、連携関係表示手段１ｂ、仮想カテゴリ登録命令受付手段１ｃ、連携関係管理手段１ｄ、ラベル出力支援手段１ｅ（本発明の印刷対象物出力支援手段に相当する）、体系違反報知手段１ｆ、階層数違反報知手段１ｇ、変更登録命令適否判断手段１ｈ、利用履歴記憶手段１ｉ、検索支援手段１ｊ、仮想カテゴリ登録権限取得手段１ｋ、仮想カテゴリ登録制限手段１ｌ、表示権限情報取得手段１ｍ、表示制限手段１ｎ、チェック手段１ｏ、視点表示選択命令受付手段１ｐ、イベント発生情報取得手段１ｑ、一時保存手段１ｒ、年限情報受付手段１ｓ等としての機能を発揮する。以下、各手段について詳述する前に、図４、図５などを参照しながら、連携管理する実際の文書類Ｓ、電子文書類及び実際の保管単位Ｚと、これらの連携管理のために使用する文書類アイコンｉＳ、保管単位アイコンｉＺ及び仮想カテゴリｉＣとについて説明をしておく。
【００３９】
「実際の文書類Ｓ」は、紙の文書を含むことは無論のこと、名刺や写真等、名刺ホルダーやポケット式ホルダーに綴じられるものを含む。そして、本実施形態では、この実際の文書類Ｓの表面又は裏面に、連携管理情報として機能する当該実際の文書類Ｓを識別するための二次元バーコード（図示せず）を設けている。この二次元バーコードは、文章等の印刷時に実際の文書類Ｓに印刷するようにしたものであっても良いし、シール化した二次元バーコードを、実際の文書類Ｓに貼り付けたものであっても良い。
【００４０】
「電子文書類」は、例えば、コンピュータに記憶される文書データを含むことは無論のこと、音声データや動画データなども含むものである。そして、本実施形態では、この電子文書類のデータヘッダーに、連携管理情報として機能する当該電子文書類を識別するためのデータを設けている。また、そのデータヘッダーに、登録命令や移動命令などの作業命令を含むことを妨げない。
【００４１】
「実際の保管単位Ｚ」は、実際の文書類Ｓの保管に用いるファイルボックスＲ１や紙製のフォルダ等の「実際の保管用用品Ｒ」と、実際の文書類Ｓ又は実際の保管用用品Ｒの保管に用いる棚Ｑ１や棚板Ｑ２等の「実際の保管用家具Ｑ」とを総称したものである。そして、本実施形態では、この実際の保管単位Ｚの少なくとも一部（例えば、使用端側面など）に、連携管理情報として機能する当該実際の保管単位Ｚを識別するための二次元バーコードＢＣを設けている。また、この二次元バーコードＢＣには、当該実際の保管単位Ｚの種類（例えば、棚Ｑ１、棚板Ｑ２、ファイルボックスＲ１、紙製のフォルダー、パイプ式ファイル、仕切カードなど）を識別するための種類情報と、当該実際の保管単位Ｚの保管場所を示すロケーション情報とを含むようにしている。
【００４２】
文書類アイコンｉＳは、実際の文書類Ｓおよび電子文書類に対応して設けた表示用のものであって、本実施形態では、「用紙の形状」を模したものとしている。
【００４３】
保管単位アイコンｉＺは、実際の保管単位Ｚに対応して設けた表示用のものであって、保管用用品アイコンｉＲと保管用家具アイコンｉＱとを有している。より具体的に、保管用用品アイコンｉＲは、実際の保管用用品Ｒと対応して設けた表示用のものであって、本実施形態では、「ファイルボックスの形状」や「紙製のフォルダー」などを模したものとしている。保管用家具アイコンｉＱは、実際の保管用家具Ｑと対応して設けた表示用のものであって、本実施形態では、「棚の形状」や「棚板の形状」を模したものとしている。
【００４４】
仮想カテゴリｉＣは、文書類アイコンｉＳ及び保管単位アイコンｉＺを仮想的に連携させるものであって、本実施形態では、「複数並べたファイルボックスの形状」を模した上に、さらにこれを点線で取り囲んだものとし、画面表示されるようにしている。
【００４５】
本論に戻り、各手段を説明する。
【００４６】
連携管理情報取得手段１ａは、前記実際の文書類Ｓ及び実際の保管単位Ｚからこれらを連携管理するための連携管理情報を取得するものであって、前記読取装置用通信インタフェース１０７などを利用して構成している。本実施形態において、連携管理情報には、当該文書類管理装置Ｐにて一意に定められるユニークなＩＤを用いるようにしている。
【００４７】
そして、本実施形態では、この連携管理情報取得手段１ａで、実際の文書類Ｓ及び実際の保管単位Ｚから連携管理情報を連続して取得した場合に、この連続して連携管理情報を取得した実際の文書類Ｓ及び実際の保管単位Ｚの間に連携関係が発生したものとして取り扱うべく、この連続して取得した連携管理情報を、内部メモリ１０２等に一時的に記憶する。
【００４８】
より具体的には、例えば、連携管理情報取得手段１ａで、「棚板Ａ１」の連携管理情報と「ファイルボックスＢ１」の連携管理情報とを連続して取得すると、「棚板Ａ１」と「ファイルボックスＢ１」との間に連携関係が発生したものとして取り扱うべく、「棚板Ａ１」の連携管理情報と「ファイルボックスＢ１」の連携管理情報とを内部メモリ１０２等に一時的に記憶する。同様に、「ファイルボックスＢ１」の連携管理情報と「文書Ｄ１」の連携管理情報と連続して取得すると、「ファイルボックスＢ１」と「文書Ｄ１」との間に連携関係が発生したものとして取り扱うべく、「ファイルボックスＢ１」の連携管理情報と「文書Ｄ１」の連携管理情報とを内部メモリ１０２等に一時的に記憶する。
【００４９】
なお、上述のように、連続して取得した連携管理情報を連携させるに限らず、適宜タイミングで取得した連携管理情報を連携させることもできる。
【００５０】
連携関係表示手段１ｂは、前記連携管理情報取得手段１ａで取得した連携管理情報に基づいて、前記実際の文書類Ｓ及び実際の保管単位Ｚの連携関係を、前記文書類アイコンｉＳ及び保管単位アイコンｉＺを用いて表示するものであって、前記表示装置１０５などを利用して構成している。
【００５１】
具体的には、図４に示すように、例えば、連携管理情報取得手段１ａで取得した「棚板Ａ１」の連携管理情報と「ファイルボックスＢ１」の連携管理情報とが内部メモリ１０２等に一時的に記憶されている場合には、「棚板Ａ１」と「ファイルボックスＢ１」との間に連携関係があることを、「棚板Ａ１」に係る保管用家具アイコンｉＱと、「ファイルボックスＢ１」に係る保管用用品アイコンｉＲと、アイコン間を結合するラインとを用いて表示するように構成している。さらに、この「ファイルボックスＢ１」や「紙製のフォルダＣ１」の連携管理情報と関連付けられた状態で、「文書Ｄ１」の連携管理情報が内部メモリ１０２等に一時的に記憶されている場合には、「ファイルボックスＢ１」及び「紙製のフォルダＣ１」と「文書Ｄ１」との間に連携関係があることを、「ファイルボックスＢ１」及び「紙製のフォルダＣ１」に係る保管用用品アイコンｉＲと、「文書Ｄ１」に係る文書類アイコンｉＳと、アイコン間を結合するラインとを用いて表示するように構成している。なお、「ファイルボックスＢ２」や「紙製のフォルダＣ２」等の連携関係に係る表示方法についても同様である。
【００５２】
加えて、本実施形態では、この連携関係表示手段１ｂは、前記連携関係管理手段１ｄが連携関係を管理している場合としていない場合とで、文書類アイコンｉＳと保管単位アイコンｉＺとの表示態様を異なるように構成している。具体的には、管理してる場合にはアイコンの色を濃く、していない場合にはアイコンの色を薄くなるようにしている。
【００５３】
仮想カテゴリ登録命令受付手段１ｃは、前記連携関係表示手段１ｂにより表示される文書類アイコンｉＳ及び保管単位アイコンｉＺに対する、前記仮想カテゴリｉＣの登録位置の指定に係る命令と、前記仮想カテゴリｉＣの連携対象の指定に係る命令とを、前記仮想カテゴリｉＣの登録命令として受け付けるものであって、前記入力装置１０４などを利用して構成している。
【００５４】
具体的には、図５（ａ）に示すように、保管用家具アイコンｉＱ（６）と保管用用品アイコンｉＲ（８）及び保管用用品アイコンｉＲ（９）とを仮想カテゴリｉＣで連携する場合には、各アイコン（６）、（８）及び（９）をすべてマウスクリックすることで、仮想カテゴリｉＣの連携対象を指定し、且つ、アイコン（６）とアイコン（８）及び（９）との間に仮想カテゴリｉＣの登録位置を設けることを指定する。この操作により、アイコン（６）とアイコン（８）及び（９）との間を連携するものとして仮想カテゴリｉＣ（７）が登録され表示される（図５（ｂ）参照）。なお、この登録方法に替えて、図５（ａ）の括弧内に示す仮想カテゴリ（７）を、作成した上で、この仮想カテゴリ（７）に、アイコン（８）及び（９）をドラッグアンドドロップ動作するといった登録方法を採ることもできる。
【００５５】
また、仮想カテゴリｉＣ（２）が登録され表示されることについても同様である。
【００５６】
なお、保管単位アイコンｉＺは、対応する実際の保管単位Ｚが携帯型読取装置ＨＴによる読み取りチェックを受ける前では、その色が薄く表示され、且つ後述する変更登録命令適否判断手段１ｈによってドラッグアンドドロップによる移動を行える一方、チェックを受けた後ではその色が濃く表示され、且つその移動機能が制限を受けてドラッグアンドドロップによる移動を行えないように構成している。
【００５７】
また、本実施形態では、この仮想カテゴリ登録命令受付手段１ｃが、前記連携関係管理手段１ｄにおいて管理している仮想カテゴリｉＣの削除、登録位置の変更を、ドラッグアンドドロップ操作などにより、さらに受け付け得るように構成している。また、移動に係る操作は、保管単位アイコンｉＺ（８）をドラッグアンドドロップする操作（図６（ａ）参照）、および、仮想カテゴリｉＣ（７）をドラッグアンドドロップする操作（図６（ｂ）参照）のいずれでもよい。
【００５８】
連携関係管理手段１ｄは、前記仮想カテゴリ登録命令受付手段１ｃで受け付けた登録命令にしたがって連携した、文書類アイコンｉＳ、保管単位アイコンｉＺ及び仮想カテゴリｉＣの連携関係を管理するものであって、前記内部メモリ１０２または外部記憶装置１０３の所定領域に形成してなる。本実施形態では、この連携関係管理手段１ｄが、文書類アイコンｉＳ、保管単位アイコンｉＺ及び仮想カテゴリｉＣを階層的に管理するように構成している。
【００５９】
ラベル出力支援手段１ｅは、前記実際の保管単位Ｚに使用するラベルの種類の選択を要求するとともに、選択したラベルに対して各ラベルごとに予め決められた位置に自動的に前記連携管理情報を印字出力するものであって、入力装置１０４、表示装置１０５および印刷用インタフェース１０８などを利用して構成してる。ここで、このラベル出力支援手段１ｅで印字出力する連携管理情報は、ハンディターミナル等の携帯型読取装置ＨＴで読み取り可能な二次元バーコードＢＣ化したものである。
【００６０】
体系違反報知手段１ｆは、図７（ａ）〜（ｃ）に示すように、前記仮想カテゴリ登録命令受付手段１ｃで、文書類アイコンｉＳと保管用用品アイコンｉＲとの間、または、複数の保管用家具アイコンｉＱ間に、仮想カテゴリｉＣを登録する命令を受け付けた場合に、その仮想カテゴリｉＣを登録ルールの体系違反により（図８（ａ）参照）登録不能である旨を報知するものであって、前記表示装置１０５などを利用して構成している。本実施形態では、「その仮想カテゴリｉＣを登録不能である旨」をポップアップ表示するように構成しているが、これに限らず、警告音で報知するといった態様も考えられる。
【００６１】
階層数違反報知手段１ｇは、前記仮想カテゴリ登録命令受付手段１ｃで、予め設定された階層数を超えて、仮想カテゴリｉＣを登録する命令を受け付けた場合に、その仮想カテゴリｉＣを登録ルールの階層数違反により（図８（ｂ）参照（なお、この図において、「カテゴリー」と記してあるものは、仮想カテゴリｉＣを示している。））登録不能である旨を報知するものであって、前記表示装置１０５などを利用して構成している。本実施形態では、「その仮想カテゴリｉＣを階層数違反により登録不能である旨」をポップアップ表示するように構成しているが、これに限らず、警告音で報知するといった態様も考えられる。
【００６２】
変更登録命令適否判断手段１ｈは、前記仮想カテゴリ登録命令受付手段１ｃで、前記連携関係管理手段１ｄにおいて管理している連携関係の変更に係る登録命令を仮として受け付けた場合に、その登録命令実施後の連携関係が仮想カテゴリｉＣの登録ルール（図８（ａ）、（ｂ）参照）に従うものであるか否かを判断するものである。
【００６３】
そして、この変更登録命令適否判断手段１ｈで適していると判断した場合には、仮想カテゴリ登録命令受付手段１ｃがその登録命令を正式に受け付けるように構成する一方、適していないと判断した場合には、その登録命令を正式に受け付けないように構成している。
【００６４】
また、この変更登録命令適否判断手段１ｈで適していると判断した場合において、新たな仮想カテゴリｉＣの登録が必要となるときには、前記連携関係管理手段１ｄが、その新たな仮想カテゴリｉＣの登録を自動的に行うとともに、前記連携関係表示手段１ｂが、その新たな仮想カテゴリｉＣの表示を行うように構成している。具体的に、図９（ａ）、（ｂ）を用いて説明すると、仮想カテゴリｉＣ（７）を、保管用家具アイコンｉＱ（１１）に移動させようとすると、保管用家具アイコンｉＱ（１１）と保管用用品アイコンｉＲ（８）とはいわゆる親子関係にないので、連携関係管理手段１ｄは、保管用家具アイコンｉＱ（１１）と保管用用品アイコンｉＲ（８）とを仮想カテゴリｉＣ（７）で新たに連携するとともに、連携関係表示手段１ｂが、保管用家具アイコンｉＱ（１１）と保管用用品アイコンｉＲ（８）との間に仮想カテゴリｉＣ（７）を表示する。なお、この変更登録命令適否判断手段１ｈは、例えば、保管用用品アイコンｉＲ（８）について、対応する実際の実際の保管用用品が携帯型読取装置ＨＴによる読み取りチェックを受ける前では、保管用用品アイコンｉＲ（８）のドラッグアンドドロップによる移動を行える一方、チェックを受けた後では、ドラッグアンドドロップによるその移動を行えないようにしている。
【００６５】
また、この変更登録命令適否判断手段１ｈで適していると判断した場合において、既存の仮想カテゴリｉＣの登録が不必要となるときには、前記連携関係管理手段１ｄが、その不必要な仮想カテゴリｉＣの登録を自動的になくすとともに、前記連携関係表示手段１ｂが、その不必要な仮想カテゴリｉＣの表示を行なわないように構成している。具体的に、図９（ｂ）、（ｃ）を用いて説明すると、仮想カテゴリｉＣ（７）を、保管用家具アイコンｉＱ（１１）に移動させようとすると、保管用家具アイコンｉＱ（１１）と保管用用品アイコンｉＲ（９）とはいわゆる親子関係にないが、保管用家具アイコンｉＱ（１１）と保管用用品アイコンｉＲ（８）との間を仮想カテゴリｉＣ（７）が連携しているので、新たな仮想カテゴリｉＣを登録することなく、連携関係表示手段１ｂが、仮想カテゴリｉＣ（７）の下層に保管用用品アイコンｉＲ（９）を表示する。すると、保管用家具アイコンｉＱ（６）の下層の仮想カテゴリｉＣ（７）により連携関係にある対象が無くなるため、連携関係管理手段１ｄは、仮想カテゴリｉＣ（７）の登録をなくし、連携関係表示手段１ｂも、仮想カテゴリｉＣ（７）の表示を行なわないようになる。
【００６６】
利用履歴記憶手段１ｉは、当該文書類管理装置Ｐの利用者を識別可能な利用者情報と、仮想カテゴリｉＣの登録、削除、変更、表示などの利用に係る利用履歴情報とを記憶するものであって、前記内部メモリ１０２または外部記憶装置１０３の所定領域に形成してなる。なお、前記利用者情報は、当該文書類管理装置Ｐの利用開始時に入力装置１０４を利用して入力されたものを用いるように構成しているが、実施態様に応じて適宜変更可能である。また、この利用履歴記憶手段１ｉが、文書類アイコンｉＳや保管単位アイコンｉＺの登録、削除、変更、表示などの利用に係る利用履歴情報を、さらに記憶するようにしているが、記憶する利用履歴情報は、実施態様に応じて適宜変更可能である。
【００６７】
検索支援手段１ｊは、前記仮想カテゴリｉＣをキーとした検索を行うためのものであって、前記入力装置１０４、表示手段１０５などを利用して構成している。具体的には、検索キーとなる仮想カテゴリｉＣ名等の入力を促す入力画面を表示し、入力された仮想カテゴリｉＣ名等と一致する仮想カテゴリｉＣを、連携関係管理手段１ｄから抽出し画面表示する。
【００６８】
仮想カテゴリ登録権限取得手段１ｋは、前記仮想カテゴリｉＣの登録に係る仮想カテゴリ登録権限情報を取得するものであって、前記入力装置１０４などを利用して構成している。ここで、「仮想カテゴリ登録権限情報」とは、いわゆる利用のためのパスワードであって、例えば、利用者の職能に応じて利用者毎に設定されるものや、部課やプロジェクトなどのグループ毎に設定されるもの等が挙げられる。
【００６９】
仮想カテゴリ登録制限手段１ｌは、前記仮想カテゴリ登録権限取得手段１ｋで取得した仮想カテゴリ登録権限情報に基づいて、前記仮想カテゴリ登録命令受付手段１ｃにおける仮想カテゴリｉＣの登録命令の受付を許可又は拒否するものである。
【００７０】
表示権限情報取得手段１ｍは、仮想カテゴリｉＣの表示に係る表示権限情報を取得するものであって、前記入力装置１０４などを利用して構成している。ここで、「表示権限情報」とは、前記仮想カテゴリ登録権限情報と同様、利用のためのパスワードであって、例えば、利用者の職能に応じて利用者毎に設定されるものや、部課やプロジェクトなどのグループ毎に設定されるもの等が挙げられる。
【００７１】
表示制限手段１ｎは、前記表示権限情報取得手段１ｍで取得した表示権限情報に基づいて、仮想カテゴリｉＣにより連携関係にある文書類アイコンｉＳ及び保管単位アイコンｉＺの表示を制限するものである。
【００７２】
チェック手段１ｏは、前記連携関係管理手段１ｄで管理している連携関係について、その連携関係が適切に保たれているか否かのチェックを行うものである。具体的には、いわゆる親子関係にあるものについて、連携管理情報取得手段１ａで取得した連携管理情報と、連携関係管理手段１ｄで管理している連携管理情報とを比較し、一致していない場合には、連携関係管理手段１ｄで管理している正規の場所にない旨を報知する。
【００７３】
視点表示選択命令受付手段１ｐは、保管単位視点表示および仮想カテゴリ視点表示のいずれか一方の視点表示を選択する旨の命令を受け付けるためのものであって、前記入力装置１０４などを利用して構成している。
【００７４】
ここで、「保管単位視点表示」とは、保管単位アイコンｉＺをツリー構造のルートとした視点表示であり、また、「仮想カテゴリ視点表示」とは、仮想カテゴリｉＣをツリー構造のルートとした視点表示である。
【００７５】
具体的に、保管単位視点表示および仮想カテゴリ視点表示について説明すると、保管単位視点表示は、図１０（ａ）に示すように、保管用家具アイコンｉＱ（１）と（１１）とをツリー構造のルートとした視点表示であるので、保管用用品（７）は、保管用家具アイコンｉＱ（１）といわゆる親子関係にあり、保管用用品（１３）は、保管用家具アイコンｉＱ（１１）といわゆる親子関係にあることが見てわかる。すなわち、保管用用品（７）や（１３）が、実際にどの保管単位に保管されているのかを、非常に簡単に知ることができる。一方、仮想カテゴリ視点表示は、図１０（ｂ）に示すように、仮想カテゴリｉＣ（３）と（６）とをツリー構造のルートとした視点表示であるので、保管用用品（７）と（１３）とは、いわゆる親子関係にあることが見てわかる。すなわち、保管用用品（７）と（１３）とが、どの仮想カテゴリｉＣでまとめられているのかを、非常に簡単に知ることができる。
【００７６】
イベント発生情報取得手段１ｑは、棚卸等のイベントの発生に係るイベント発生情報を、携帯型読取装置ＨＴから取得するものであって、読取装置用通信インタフェース１０７などを利用して構成している。このイベント発生情報取得手段１ｑが、イベント発生情報を取得した場合には、仮想カテゴリ登録命令受付手段１ｃが、新たな仮想カテゴリｉＣの登録命令を受け付けないように構成している。
【００７７】
一時保存手段１ｒは、不要な文書類アイコンｉＳ、保管単位アイコンｉＺ、又は仮想カテゴリｉＣを、年限が来たときに削除することを前提として一時的に保存しておくものであって、内部メモリ１０２または外部記憶装置１０３の所定領域に形成している。なお、この一時保存手段１ｒは、画面上では一般的な「ゴミ箱」状のアイコン（図示せず）として表示されるようにしている。
【００７８】
年限情報受付手段１ｓは、一時保存手段１ｒに保存している文書類アイコンｉＳ、保管単位アイコンｉＺ、又は仮想カテゴリｉＣに係る年限の延長のための年限延長情報を、年限情報として受け付けるものである。
【００７９】
本実施形態では、年限延長用アイコンに、文書類アイコンｉＳ、保管単位アイコンｉＺ、又は仮想カテゴリｉＣが、ドラッグアンドドロップ操作で移動してきたことをトリガとして、その年限延長情報を受け付けるようにしている。
【００８０】
以上のように構成される文書類管理装置Ｐについて、その使用方法を画面遷移図及びフロー図などを用いて具体的に説明する。
【００８１】
まず、実際の保管用家具Ｑの登録に係る画面遷移図（図１６〜図１８）、実際の保管用用品Ｒの登録に係る画面遷移図（図１９〜図２１）、仮想カテゴリｉＣに対する実際の保管用用品Ｒの登録に係る画面遷移図（図２２、図２３）、及び、実際の保管用用品Ｒの移動に係る画面遷移図（図２４）で表示される、トップメニュー画面Ｇ１、閲覧画面Ｇ２、登録用品（棚）選択画面Ｇ３、登録用品（ファイル）選択画面Ｇ４、登録用品（文書）選択画面Ｇ５、棚登録画面Ｇ６、ファイル登録画面Ｇ７、用品アクセスレベル設定画面Ｇ８、年限設定画面Ｇ９について、具体的に説明をしておく。
【００８２】
なお、本実施形態では、当該文書類管理装置Ｐの利用開始の際に、ユーザＩＤとパスワードとによる認証（認証を受けたユーザを、以下、「ログインユーザ」と称する）を行うようにしている。そして、ログインユーザの種類（システム管理者、文書管理者、一般ユーザ、制限付ユーザ）に応じて、仮想カテゴリｉＣに係るアクセス権限（前記仮想カテゴリ登録権限情報および前記表示権限情報）や、実際の文書類Ｓ、実際の保管単位Ｚなどに係るアクセス権限を付与し、そのアクセス権限によって、各画面の利用または各画面上に表示される機能の利用を制限するようにしている。このアクセス権限の設定例を、図１３に示す。図１３において、「○」は、アクセス権限を有していることを意味し、「×」は、アクセス権限を有していないことを意味し、「△」は、所定の場合にアクセス権限を有していることを意味する。また、本実施形態では、後述する「文書登録」ボタンｂ０１や「タイトル」フィールドｆ０２のように、ハッチング処理をしていないボタン等は、ログイン権限に基づき、クリック操作や入力操作が可能であることを意味している。一方、後述する「編集ボタン」ｂ１１のようにハッチング処理をしているボタン等は、ログイン権限に基づき、クリック操作や入力操作が不能であることを意味している。
【００８３】
トップメニュー画面Ｇ１は、図１４等に示すように、略円形状を成す３つの「文書登録」ボタンｂ０１、「ファイリング」ボタンｂ０２、「詳細検索」ボタンｂ０３と、横長略小判形状の４つの「ファイル登録」ボタンｂ０４、「棚登録」ボタンｂ０５、「ラベルデザイン作成」ボタンｂ０６、「予約検索」ボタンｂ０７とに加え、「ログアウト」ボタンｂ０８と、「終了」ボタンｂ０９を有している。
【００８４】
具体的には、「文書登録」ボタンｂ０１は、文書登録画面（図示せず）を表示するためのボタンである。「ファイリング」ボタンｂ０２、閲覧画面Ｇ２を表示するためのボタンである。「詳細検索」ボタンｂ０３は、詳細検索画面（図示せず）を表示するためのボタンである。「ファイル登録」ボタンｂ０４は、ファイル登録画面Ｇ７を表示するためのボタンである。「棚登録」ボタンｂ０５は、棚登録画面Ｇ６を表示するためのボタンである。「ラベルデザイン作成」ボタンｂ０６は、ラベルデザインデザイン用領域（図１７、図２０参照）を表示するためのボタンである。「予約検索」ボタンｂ０７は、検索結果画面（図示せず）を表示するためのボタンである。「ログアウト」ボタンｂ０８は、ログイン画面（図示せず）を表示するためのボタンである。
【００８５】
閲覧画面Ｇ２は、図１５等に示すように、「閲覧」ボタンｂ１０、「編集ボタン」ｂ１１、「詳細検索」ボタンｂ１２、「単純検索」ボタンｂ１３、「棚作成」ボタンｂ１４、「分類作成」ボタンｂ１５、「文書作成」ボタンｂ１６、「分類ツリービュー」表示領域ｒ０１、「用品リスト」表示領域ｒ０２、「用品情報」表示領域ｒ０３、「印刷待ちへ」ボタンｂ１７、「詳細情報」ボタンｂ１８、「ゴミ箱」ボタンｂ１９などを有している。なお、各ボタンは、ログイン権限に応じて適宜選択することができないようにしている。
【００８６】
より具体的に、「閲覧」ボタンｂ１０は、当該閲覧画面Ｇ２を表示するためのボタンである。
【００８７】
「編集ボタン」ｂ１１は、画面を、編集モードに切り替えるためのボタンである。
【００８８】
「詳細検索」ボタンｂ０３は、画面を、詳細検索画面に切り替えるためのボタンである。
【００８９】
「単純検索」ボタンｂ１３は、検索入力フィールドに入力された検索ワードにて検索を行い、検索結果画面を表示するためのボタンである。
【００９０】
「棚作成」ボタンｂ１４は、棚登録画面Ｇ６を表示するためのボタンである。
【００９１】
「分類作成」ボタンｂ１５は、登録用品（ファイル）選択画面Ｇ４を表示するためのボタンである。
【００９２】
「文書作成」ボタンｂ１６は、登録用品（文書）選択画面Ｇ５を表示するためのボタンである。
【００９３】
「分類ツリービュー」表示領域ｒ０１は、ＤＢに登録してあるデータを、用品ごとに対応させたアイコンを用いて、ツリー形式で表示するための領域である。また、ログインユーザのアクセスレベルによって表示が制限されるようにしている。なお、アイコンをクリックすることにより、「用品リスト」表示領域ｒ０２が更新されるようにしている。また、選択された用品が、文書の場合は「用品リスト」表示領域ｒ０２に文書プレビュー画面が表示されるようにしている。
【００９４】
「用品リスト」表示領域ｒ０２は、「分類ツリービュー」表示領域ｒ０１で選択された用品の１階層下の用品全てをリスト表示するための領域である。本実施形態において、表示内容は、タイトル、種別、分類コード、作成者、更新者、移替時期、廃棄時期としているが、実施態様に応じて適宜変更可能である。そして、リストの用品をクリックすることにより、用品情報の内容が更新されるようにしている。また、リストの用品をダブルクリックすることにより、選択された用品を所謂「親」として分類を展開するようにしている。その際、「分類ツリービュー」の表示内容も連動する。また、選択された用品が、文書の場合は、文書プレビュー画面が表示されるようにしている。
【００９５】
「用品情報」表示領域ｒ０３は、「用品リスト」表示領域ｒ０２で選択されている用品の情報を表示するための領域である。なお、表示項目は、次のようにしている。
・棚の場合
ＩＤ        ：  用品を識別する一意の番号
タイトル    ：  棚の名称
棚番号      ：  棚を識別する番号
種別        ：  用品の種類（棚・棚板など）
ラベル種    ：  ラベルの種類
管理部門    ：  用品登録時の管理部門
アクセス権  ：  用品に対してアクセス可能な権限
・分類（ファイル）の場合
ＩＤ        ：  用品を識別する一意の番号
タイトル    ：  分類の名称
用品種      ：  用品の種類（厚ファイル・バインダーなど）
分類コード  ：  登録されている分類コート゛
ラベル種    ：  ラベルの種類
管理部門    ：  用品登録時の管理部門
アクセス権  ：  用品に対してアクセス可能な権限
移替年限    ：  用品に登録されている移替年限
廃棄年限    ：  用品に登録されている廃棄年限
・文書の場合
ＩＤ        ：  書類を識別する一意の番号
タイトル    ：  書類の名称
種別        ：  文書の種類
ラベル種    ：  ラベルの種類
書類内容    ：  書類の内容
添付文書    ：  添付文書のファイル名
副文書      ：  副文書のファイル数
版番号      ：  文書の版
管理部門    ：  用品登録時の管理部門
アクセス権  ：  用品に対してアクセス可能な権限
移替年限    ：  用品に登録されている移替年限
廃棄年限    ：  用品に登録されている廃棄年限
「印刷待ちへ」ボタンｂ１７は、現在、「用品リスト」表示領域ｒ０２にて選択されている用品のラベルを、印刷待ちにするためのボタンである。
【００９６】
「詳細情報」ボタンｂ１８は、現在、「用品リスト」表示領域ｒ０２にて選択されている用品の登録画面を表示するためのボタンである。このとき、登録画面では、すべての項目を編集禁止（参照のみ）にしている。
【００９７】
「ゴミ箱」ボタンｂ１９は、用品リストに、現在ゴミ箱に存在する用品の情報を表示するためのボタンである。
【００９８】
登録用品（棚）選択画面Ｇ３は、図１６等に示すように、「棚」ボタンｂ２０、「棚板」ボタンｂ２１を有している。
【００９９】
より具体的には、「棚」ボタンｂ２０は、本システムにて利用できる棚を、その登録を目的として選択するためのボタンである。
【０１００】
「棚板」ボタンｂ２１は、本システムにて利用できる棚板を、その登録を目的として選択するためのボタンである。
【０１０１】
登録用品（ファイル）選択画面Ｇ４は、図１９等に示すように、「ファイルボックス」ボタンｂ３０、「大ファイル」ボタンｂ３１、「中ファイル」ボタンｂ３２、「小ファイル」ボタンｂ３３、「仕切カード」ボタンｂ３４、「フォルダー類」ボタンｂ３５、「文書保存箱類」ボタンｂ３６、「カテゴリー」ボタンｂ３７を有している。
【０１０２】
より具体的には、「ファイルボックス」ボタンｂ３０は、例えば、フォルダー・クリヤーホルダー・フラットファイルなどを入れるボックスを、その登録を目的として選択するためのボタンである。
【０１０３】
「大ファイル」ボタンｂ３１は、例えば、チューブファイルなどの大収容量のファイルを、その登録を目的として選択するためのボタンである。
【０１０４】
「中ファイル」ボタンｂ３２は、例えば、リングファイルなどの中収容量のファイルを、その登録を目的として選択するためのボタンである。
【０１０５】
「小ファイル」ボタンｂ３３は、例えば、フラットファイルやクリヤーブックなどの少収容量のファイルを、その登録を目的として選択するためのボタンである。
【０１０６】
「仕切カード」ボタンｂ３４は、例えば、チューブファイルやリングファイル内の文書を仕切るための用品を、その登録を目的として選択するためのボタンである。
【０１０７】
「フォルダー類」ボタンｂ３５は、例えば、フォルダーやクリヤーホルダーなどのように、文書を挟むための用品を、その登録を目的として選択するためのボタンである。
【０１０８】
「文書保存箱類」ボタンｂ３６は、例えば、文書保存箱やストックボックスなどのように、ファイルやサンプルなどを保存するための用品を、その登録を目的として選択するためのボタンである。
【０１０９】
「カテゴリー」ボタンｂ３７は、例えば、文書やファイルなどをカテゴリーごとにまとめるための架空の用品を、その登録を目的として選択するためのボタンである。
【０１１０】
登録用品（文書）選択画面Ｇ５は、図２５に示すように、「電子」ボタンｂ４０、「紙」ボタンｂ４１、「電子・紙」ボタンｂ４２を有している。
【０１１１】
より具体的には、「電子」ボタンｂ４０は、例えば、電子文書、各種書類作成データや画像ファイルなどの電子文書類を、その登録を目的として選択するためのボタンである。
【０１１２】
「紙」ボタンｂ４１は、例えば、社内外の文書、資料、カタログなどの実際の文書類を、その登録を目的として選択するためのボタンである。
【０１１３】
「電子・紙」ボタンｂ４２は、一元管理する対象としての電子文書類と実際の文書類とを、その登録を目的として選択するためのボタンである。
【０１１４】
棚登録画面Ｇ６は、図１７等に示すように、登録情報を入力するための登録情報入力用領域ｒ１０と、ラベルデザインをするためのラベルデザイン用領域ｒ１１とを有している。
【０１１５】
より具体的には、登録情報入力用領域ｒ１０は、「ＩＤ」フィールドｆ０１、「タイトル」フィールドｆ０２、「Ｎｏ」フィールドｆ０３、「種別」フィールドｆ０４、「ツリー」フィールドｆ０５、「アクセスレベル」フィールドｆ０６、「管理部門」フィールドｆ０７、「備考」フィールドｆ０８、「棚サイズ」フィールドｆ０９、「登録者」フィールドｆ１０、「登録日」フィールドｆ１１、「更新者」フィールドｆ１２、「更新日」フィールドｆ１３に加え、「ヒストリー」ボタンｂ５０、「登録」ボタンｂ５１を有している。
【０１１６】
このうち、「ＩＤ」フィールドｆ０１は、当該文書類管理装置Ｐで一意に与えられるＩＤを表示するためのフィールドである。このＩＤは当該文書類管理装置Ｐで自動的に与えられるようにしている。
【０１１７】
「タイトル」フィールドｆ０２は、当該登録情報についてのタイトルの入力を受け付けるためのフィールドである。この「タイトル」フィールドｆ０２に入力が無い場合には、当該登録情報の登録を行えないようにしている。
【０１１８】
「種別」フィールドｆ０４は、種別の選択をするためのフィールドである。本実施形態では、ＤＢに登録されている用品の種別から選択できるようにしている。
【０１１９】
「アクセスレベル」フィールドｆ０６は、当該登録情報に対するアクセスレベル（アクセス権限）の設定を受け付けるためのフィールドである。
【０１２０】
「管理部門」フィールドｆ０７は、当該登録情報に係る管理部門を表示するためのフィールドである。
【０１２１】
「棚サイズ」フィールドｆ０９は、棚の寸法を入力するためのフィールドである。
【０１２２】
また、ラベルデザイン用領域ｒ１１は、ラベルデザインを表示して編集するための略矩形状の表示編集部ｒ１１１に加え、この表示編集部ｒ１１１の上方に文字種、文字サイズ、縦書き横書き、書体などの設定を行うためのツールバーｒ１１２を有している。
【０１２３】
ファイル登録画面Ｇ７は、図２０等に示すように、タブの選択により選択的に表示される主登録情報表示領域ｒ２１および副登録情報表示領域ｒ２２と、ラベルデザインをするためのラベルデザイン用領域ｒ２３とを有している。
【０１２４】
より具体的に、主登録情報表示領域ｒ２１は、ID、タイトル、種別、鍵の有無、分類コード、備考、棚番号、ツリー、管理部門、移替年限、廃棄年限、アクセスレベルについて、表示または編集するための領域である。このうち、棚番号は、ツリーで設定されたツリーパスより棚番号を取得し表示するようにしている。
【０１２５】
ラベルデザイン用領域ｒ２３は、棚登録画面Ｇ６のラベルデザイン用領域ｒ１１と同様であるので説明を省略する。
【０１２６】
用品アクセスレベル設定画面Ｇ８は、図１７等に示すように、「絞込み」入力フィールドｆ３１、「グループ・ユーザ一覧」表示領域ｒ３１、「表示切替」ボタンｂ６１、「（参照権限）追加」ボタンｂ６２、「（参照権限）削除」ボタンｂ６３、「（参照及び編集権限）追加」ボタンｂ６４、「（参照及び編集権限）削除」ボタンｂ６５、「参照権限選択一覧」表示領域ｒ３２、「参照及び編集権限選択一覧」表示領域ｒ３３、「登録」ボタンｂ６６、「閉じる」ボタンｂ６７を有している。
【０１２７】
「絞込み」入力フィールドｆ３１は、「グループ・ユーザ一覧」表示領域ｒ３１に表示されている情報を絞込む条件の入力を受け付けるためのフィールドである。入力後、「ＯＫ」ボタンを押すと、絞込み条件に該当するグループ・、ユーザの一覧が表示される。なお、絞込みは、グループ・ユーザ一覧に設定されている内容に基づいて、絞り込みを行うようにしている。具体的には、絞込み条件にグループが該当し、所属ユーザが該当しない（該当ユーザなし）場合には、所属ユーザを全て表示するようにしている。また、絞込み条件にユーザが該当し、所属するグループが該当しない場合には、グループも表示するにしている。
絞込みが未設定の場合、全グループおよび、ユーザを表示するようにしている。
【０１２８】
「グループ・ユーザ一覧」表示領域ｒ３１は、グループ又はユーザを表示するための領域である。具体的に、表示切替が“グループのみ”の場合には、絞込み条件に該当するグループの一覧を表示し、ここで、アクセス権を設定するグループを選択することができる。また、表示切替が“ユーザ含む”の場合には、絞込み条件に該当するグループ・ユーザの一覧を表示し（グループ、所属ユーザの単位）、アクセス権を設定するグループ・ユーザを選択することができる。
【０１２９】
「表示切替」ボタンｂ６１は、グループ・ユーザ一覧の表示内容を切り替えるためのボタンである。
【０１３０】
「（参照権限）追加」ボタンｂ６２は、グループ・ユーザ一覧で選択されているグループおよび、ユーザを参照権限選択一覧へ追加するためのボタンである。
【０１３１】
「（参照権限）削除」ボタンｂ６３は、参照権限選択一覧から選択されているグループおよび、ユーザを削除するためのボタンである。
【０１３２】
「（参照及び編集権限）追加」ボタンｂ６４は、グループ・ユーザ一覧で選択されているグループおよび、ユーザを参照及び編集権限選択一覧へ追加するためのボタンである。
【０１３３】
「（参照及び編集権限）削除」ボタンｂ６５は、参照及び編集権限選択一覧から選択されているグループおよび、ユーザを削除するためのボタンである。
【０１３４】
「参照権限選択一覧」表示領域ｒ３２は、参照権限を設定するグループ・ユーザを表示するための領域である。
【０１３５】
「参照及び編集権限選択一覧」表示領域ｒ３３は、参照及び編集権限を設定するグループ・ユーザを表示するための領域である。
【０１３６】
「登録」ボタンｂ６６は、選択されたグループおよび、ユーザにアクセス権を設定するためのボタンである。
【０１３７】
「閉じる」ボタンｂ６７は、呼び出し元の画面（用品登録画面）へ戻るためのボタンである。
【０１３８】
年限設定画面Ｇ９は、閲覧画面Ｇ２の「用品情報」表示領域ｒ０３の移替年限・廃棄年限に対する操作があった場合に表示する画面であって、図２６に示すように、一覧にはログインユーザの所属するグループの年限が表示されるようにしている。
【０１３９】
（１）連携管理情報の取得及び仮想カテゴリｉＣの登録に係るフロー。
【０１４０】
図１１に示すように、連携管理情報取得手段１ａが、実際の文書類Ｓ及び実際の保管単位Ｚから連携管理情報を取得すると（ステップＳ１０１）、連携関係表示手段１ｂが、取得した連携管理情報に基づいて、前記実際の文書類Ｓ及び実際の保管単位Ｚの連携関係を、前記文書類アイコンｉＳ及び保管単位アイコンｉＺを用いて表示する（ステップＳ１０２）。次に、仮想カテゴリ登録命令受付手段１ｃが、連携関係表示手段１ｂにより表示される文書類アイコンｉＳ及び保管単位アイコンｉＺに対する、前記仮想カテゴリｉＣの登録位置の指定に係る命令と、前記仮想カテゴリｉＣの連携対象の指定に係る命令とを、前記仮想カテゴリｉＣの登録命令として受け付けると（ステップＳ１０３）、連携関係管理手段１ｄが、前記仮想カテゴリ登録命令受付手段１ｃで受け付けた登録命令にしたがって連携した、文書類アイコンｉＳ、保管単位アイコンｉＺ及び仮想カテゴリｉＣの連携関係を管理するとともに（ステップＳ１０４）、連携関係表示手段１ｂが、それらの連携関係を表示する（ステップＳ１０５）。
【０１４１】
なお、図示はしていないが、ステップＳ１０３において仮想カテゴリｉＣの登録命令を受け付けた場合に、体系違反報知手段１ｆ、階層数違反報知手段１ｇ、および変更登録命令適否判断手段１ｈが適宜動作する。
【０１４２】
また、図示はしていないが、ステップＳ１０３において、仮想カテゴリ登録制限手段１ｌが、仮想カテゴリ登録権限取得手段１ｋで取得した仮想カテゴリ登録権限情報によっては、前記仮想カテゴリ登録命令受付手段１ｃにおける仮想カテゴリｉＣの登録命令の受付を拒否する場合もある。
【０１４３】
また、図示はしていないが、ステップＳ１０５において、表示制限手段１ｎが、前記表示権限情報取得手段１ｍで取得した表示権限情報によっては、仮想カテゴリｉＣにより連携関係にある文書類アイコンｉＳ及び保管単位アイコンｉＺの表示を制限する。
【０１４４】
（２）連携関係のチェックに係るフロー。
【０１４５】
まず、連携関係情報（親ＩＤ、子ＩＤ）を取得する（ステップＳ２０１、Ｓ２０２）。そして、チェック手段１ｏが、親子関係に異常がないと判定すれば（ステップＳ２０３）、次に調べる連携関係情報を取得する（ステップＳ２０１）。一方、親子関係に異常があると判定すれば（ステップＳ２０４）、親子関係に異常が在る旨を表示し（ステップＳ２０５）、変更に係る登録命令を受け付ければ（ステップＳ２０６）、連携管理手段が、その連携関係を管理する（ステップＳ２０７）。
【０１４６】
（３）イベント発生による新たな仮想カテゴリｉＣの登録命令の凍結に係るフロー。
【０１４７】
図２７に示すように、イベント発生情報取得手段１ｑがイベント発生情報を携帯型読取装置ＨＴから取得すると（ステップＳ３０１）、仮想カテゴリ登録命令受付手段１ｃが、新たな仮想カテゴリｉＣの登録命令を受け付けた場合でも（ステップＳ３０２）、その登録を受け付けないように動作する（ステップＳ３０３）。
【０１４８】
（４）年限延長に係るフロー。
【０１４９】
図２８に示すように、「ゴミ箱」ボタンｂ１９のクリック操作があると（ステップＳ４０１）、用品リストに、現在ゴミ箱に存在する用品の情報を表示する（ステップＳ４０２）。そして、延長したい文書類アイコン、保管単位アイコン、又は仮想カテゴリを、年限延長用アイコンに対してドラッグアンドドロップすると（ステップＳ４０３）、年限情報受付手段１ｓが、ドラッグアンドドロップしたものについての年限を延長すべく、その年限延長情報を受け付ける（ステップＳ４０４）。
【０１５０】
このように、本実施形態に係る文書類管理装置Ｐは、実際の文書類Ｓ及び実際の保管単位Ｚから連携管理情報を取得すると、連携関係表示手段１ｂが、取得した連携管理情報に基づいて、前記実際の文書類Ｓ及び実際の保管単位Ｚの連携関係を、前記文書類アイコンｉＳ及び保管単位アイコンｉＺを用いて表示する。次に、仮想カテゴリ登録命令受付手段１ｃが、連携関係表示手段１ｂにより表示される文書類アイコンｉＳ及び保管単位アイコンｉＺに対する、前記仮想カテゴリｉＣの登録位置の指定に係る命令と、前記仮想カテゴリｉＣの連携対象の指定に係る命令とを、前記仮想カテゴリｉＣの登録命令として受け付けると、連携関係管理手段１ｄが、前記仮想カテゴリ登録命令受付手段１ｃで受け付けた登録命令にしたがって連携した、文書類アイコンｉＳ、保管単位アイコンｉＺ及び仮想カテゴリｉＣの連携関係を管理するとともに、連携関係表示手段１ｂが、それらの連携関係を表示するように動作する。
【０１５１】
すなわち、複数の実際の保管単位Ｚに、別々に保管されている実際の文書類Ｓについても、文書類アイコンｉＳ、保管単位アイコンｉＺ及び仮想カテゴリｉＣを利用して簡単に管理することができるといった、高性能な文書類管理装置Ｐを実現することができる。
【０１５２】
なお、前記文書類アイコンｉＳを、電子文書類にも対応して設け、且つ、前記連携管理情報取得手段１ａが、電子文書類からも連携管理情報を取得し得るように構成し、さらに、前記連携関係表示手段１ｂが、前記実際の文書類Ｓ、電子文書類及び実際の保管単位Ｚの連携関係を、前記文書類アイコンｉＳ及び保管単位アイコンｉＺを用いて表示するように構成しているため、電子文書類についても、さらに連携管理をすることができる。
【０１５３】
前記連携管理情報が、実際の文書類Ｓ又は実際の保管単位Ｚについての保管場所を示すロケーション情報を少なくとも含むようにしているため、実際の文書類Ｓ及び実際の保管単位Ｚの連携管理を、実際の保管場所と有効に連携させて行うことができる。
【０１５４】
前記実際の保管単位Ｚに使用するラベルの種類の選択を要求するとともに、選択したラベルに対して各ラベルごとに予め決められた位置に自動的に前記連携管理情報を印字出力するラベル出力支援手段１ｅを具備しているため、ラベルを選択すれば、選択したラベルにおける予め決められた位置に、自動的に連携管理情報が印字出力されるため、入力の手間等を大幅に削減することができる。
【０１５５】
前記ラベル出力支援手段１ｅで印字出力する連携管理情報が、ハンディターミナル等の携帯型読取装置ＨＴで読み取り可能な二次元バーコードＢＣ化したものであるため、一次元のバーコードと比べ小型化しながらも多くの情報を取り扱うことができる。
【０１５６】
前記連携関係管理手段１ｄが、文書類アイコンｉＳ、保管単位アイコンｉＺ及び仮想カテゴリｉＣを階層的に管理するものであるため、連携管理のチェックなどを容易に行うことができる。
【０１５７】
前記保管単位アイコンｉＺが、実際の文書類Ｓの保管に用いるファイルボックス等の実際の保管用用品Ｒと対応して設けた保管用用品アイコンｉＲと、実際の文書類Ｓ又は実際の保管用用品Ｒの保管に用いる棚等の実際の保管用家具Ｑと対応して設けた保管用家具アイコンｉＱとを有するものであるため、実際に保管に用いる物と対応した適切な連携管理を行える。
【０１５８】
前記仮想カテゴリ登録命令受付手段１ｃで、文書類アイコンｉＳと保管用用品アイコンｉＲとの間、または、複数の保管用家具アイコンｉＱ間に、仮想カテゴリｉＣを登録する命令を受け付けた場合に、その仮想カテゴリｉＣを登録ルールの体系違反により登録不能である旨を報知する体系違反報知手段１ｆを具備しているため、管理体系が無用に煩雑になることを防止することができる。
【０１５９】
また、前記仮想カテゴリ登録命令受付手段１ｃで、予め設定された階層数を超えて、仮想カテゴリｉＣを登録する命令を受け付けた場合に、その仮想カテゴリｉＣを登録ルールの階層数違反により登録不能である旨を報知する階層数違反報知手段１ｇを具備しているため、管理体系が無用に煩雑になることを防止することができる。
【０１６０】
前記仮想カテゴリ登録命令受付手段１ｃが、前記連携関係管理手段１ｄにおいて管理している仮想カテゴリｉＣの削除、登録位置の変更をさらに受け付け得るものであるため、仮想カテゴリｉＣ登録後の変動にも容易に対応できるので、使い勝手が向上する。
【０１６１】
前記仮想カテゴリ登録命令受付手段１ｃで、前記連携関係管理手段１ｄにおいて管理している連携関係の変更に係る登録命令を仮として受け付けた場合に、その登録命令実施後の連携関係が仮想カテゴリｉＣの登録ルールに従うものであるか否かを判断する変更登録命令適否判断手段１ｈを具備し、前記変更登録命令適否判断手段１ｈで適していると判断した場合には、仮想カテゴリ登録命令受付手段１ｃがその登録命令を正式に受け付けるように構成する一方、適していないと判断した場合には、その登録命令を正式に受け付けないように構成しているため、操作に不慣れな利用者であっても、容易に操作をすることができる。
【０１６２】
前記変更登録命令適否判断手段１ｈで適していると判断した場合において、新たな仮想カテゴリｉＣの登録が必要となるときには、前記連携関係管理手段１ｄが、その新たな仮想カテゴリｉＣの登録を自動的に行うとともに、前記連携関係表示手段１ｂが、その新たな仮想カテゴリｉＣの表示を行うように構成しているものや、或いは、前記変更登録命令適否判断手段１ｈで適していると判断した場合において、既存の仮想カテゴリｉＣの登録が不必要となるときには、前記連携関係管理手段１ｄが、その不必要な仮想カテゴリｉＣの登録を自動的になくすとともに、前記連携関係表示手段１ｂが、その不必要な仮想カテゴリｉＣの表示を行なわないように構成しているため、不慣れな利用者であっても当該文書類管理装置Ｐを簡単に操作できる。
【０１６３】
当該文書類管理装置Ｐの利用者を識別可能な利用者情報と、仮想カテゴリｉＣの登録、削除、変更、表示などの利用に係る利用履歴情報とを記憶する利用履歴記憶手段１ｉを具備しているため、例えば、不正な操作の追跡を容易に行うことができ、セキュリティの高い文書類管理装置Ｐを提供することができる。
【０１６４】
前記仮想カテゴリｉＣをキーとした検索を行うための検索支援手段１ｊを具備しているため、検索時の利便性を向上することができる。
【０１６５】
前記仮想カテゴリｉＣの登録に係る仮想カテゴリ登録権限情報を取得する仮想カテゴリ登録権限取得手段１ｋと、前記仮想カテゴリ登録権限取得手段１ｋで取得した仮想カテゴリ登録権限情報に基づいて、前記仮想カテゴリ登録命令受付手段１ｃにおける仮想カテゴリｉＣの登録命令の受付を許可又は拒否する仮想カテゴリ登録制限手段１ｌとを具備しているため、無用な仮想カテゴリｉＣの登録を防止することができる。
【０１６６】
仮想カテゴリｉＣの表示に係る表示権限情報を取得する表示権限情報取得手段１ｍと、前記表示権限情報取得手段１ｍで取得した表示権限情報に基づいて、仮想カテゴリｉＣにより連携関係にある文書類アイコンｉＳ及び保管単位アイコンｉＺの表示を制限する表示制限手段１ｎとを具備しているため、機密性を向上することができる。
【０１６７】
前記連携関係管理手段１ｄで管理している連携関係について、その連携関係が適切に保たれているか否かの検査をするチェック手段１ｏを具備しているため、実際の文書類Ｓの不用意な移動などにより、連携関係に崩れが生じているか否かを簡単に知ることができる。
【０１６８】
前記連携関係管理手段１ｄが連携関係を管理している場合としていない場合とで、連携関係表示手段１ｂで表示する文書類アイコンｉＳと保管単位アイコンｉＺとの表示態様を異なるように構成しているため、アイコンを見るだけで、連携関係が管理されているか否かを即座に知ることができる。
【０１６９】
前記連携関係表示手段１ｂが、保管単位アイコンｉＺをツリー構造のルートとした保管単位視点表示、および、仮想カテゴリｉＣをツリー構造のルートとした仮想カテゴリ視点表示のいずれか一方を選択表示するものであり、前記いずれか一方の視点表示を選択する旨の命令を受け付けるための視点表示選択命令受付手段１ｐを具備しているため、保管単位視点表示で表示した場合には、ルートにある実際の保管単位Ｚと親子関係にある物を知ることができる一方、仮想カテゴリ視点表示で表示した場合には、ルートにある仮想カテゴリｉＣと親子関係にあるものを知ることができる。
【０１７０】
棚卸等のイベントの発生に係るイベント発生情報を取得するイベント発生情報取得手段１ｑを具備し、このイベント発生情報取得手段１ｑが、イベント発生情報を取得した場合には、前記仮想カテゴリ登録命令受付手段１ｃが、新たな仮想カテゴリｉＣの登録命令を受け付けないように構成しているため、例えば、棚卸に係るイベントが発生した場合のように、仮想カテゴリｉＣ等の連携関係を変更したくないときに、仮想カテゴリｉＣが無用に登録されてしまうといった不具合を防止することができる。
【０１７１】
不要な文書類アイコンｉＳ、保管単位アイコンｉＺ、又は仮想カテゴリｉＣを、年限が来たときに削除することを前提として一時的に保存しておく一時保存手段１ｒを具備しているため、アイコンなどの整理を好適に行うことができ、使い勝手が向上する。
【０１７２】
前記一時保存手段１ｒに保存している文書類アイコンｉＳ、保管単位アイコンｉＺ、又は仮想カテゴリｉＣに係る年限の延長のための年限延長情報を受け付ける年限情報受付手段１ｓを具備しているため、管理の実情に応じて年限を延長でき、使い勝手が格段に向上する。
【０１７３】
なお、本発明は、以上に詳述した実施形態に限られるものではない。
【０１７４】
例えば、連携管理情報として機能する二次元バーコードＢＣが、実際の保管単位Ｚの保管場所を示すロケーション情報を含むように構成しているが、この二次元バーコードＢＣがロケーション情報の在りかを示すメタ情報を含むものであっても良い。
【０１７５】
また、当該文書類管理装置Ｐを、ファイルボックスや棚等の実際の保管単位Ｚに保管される立体物たる文房具や部品等の実際の対象物（図示せず）を、前記実際の対象物に対応して設けた対象物アイコン（図示せず）と前記実際の保管単位Ｚに対応して設けた保管単位アイコンｉＺとを仮想的に連携させる仮想カテゴリｉＣを少なくとも用いて管理するように構成した対象物管理装置として用いることもできる。
【０１７６】
この場合には、前記連携管理情報取得手段１ａを、実際の対象物及び実際の保管単位Ｚからこれらを連携管理するための連携管理情報を取得するように構成し、前記連携関係表示手段１ｂを、連携管理情報取得手段１ａで取得した連携管理情報に基づいて、前記実際の対象物及び実際の保管単位Ｚの連携関係を、前記対象物アイコン及び保管単位アイコンｉＺを用いて表示するように構成し、前記仮想カテゴリ登録命令受付手段１ｃを、連携関係表示手段１ｂにより表示される対象物アイコン及び保管単位アイコンｉＺに対する、前記仮想カテゴリｉＣの登録位置の指定に係る命令と、前記仮想カテゴリｉＣの連携対象の指定に係る命令とを、前記仮想カテゴリｉＣの登録命令として受け付けるように構成し、前記連携関係管理手段１ｄを、仮想カテゴリ登録命令受付手段１ｃで受け付けた登録命令にしたがって連携した、対象物アイコン、保管単位アイコンｉＺ及び仮想カテゴリｉＣの連携関係を管理するように構成すればよい。
【０１７７】
その他、各部の具体的構成についても上記実施形態に限られるものではなく、本発明の趣旨を逸脱しない範囲で種々変形が可能である。
【図面の簡単な説明】
【０１７８】
【図１】本発明の一実施形態における文書類管理装置などを示す図。
【図２】同実施形態における文書類管理装置の機器構成図。
【図３】同実施形態における文書類管理装置の機能構成図。
【図４】同実施形態におけるファイリング体系が形成される過程を模式的に示す図。
【図５】同実施形態における仮想カテゴリの登録過程を説明するための図。
【図６】同実施形態における仮想カテゴリなどの移動操作による連携管理体系の変化を説明するための図。
【図７】同実施形態における仮想カテゴリなどの移動操作による連携管理体系の変化を説明するための図。
【図８】同実施形態における仮想カテゴリの登録ルールを示す図。
【図９】同実施形態における仮想カテゴリなどの移動操作による連携管理体系の変化を説明するための図。
【図１０】同実施形態における保管単位視点表示と仮想カテゴリ視点表示との表示態様を示す図。
【図１１】同実施形態における文書類管理装置の動作を示すフロー図。
【図１２】同実施形態における文書類管理装置の動作を示すフロー図。
【図１３】同実施形態におけるシステム利用権限及びアクセス権限を示す図。
【図１４】同実施形態におけるトップメニュー画面、閲覧画面（システム管理者、文書管理者用）、及びアラート画面を示す図。
【図１５】同実施形態におけるトップメニュー画面、閲覧画面（一般ユーザー、一般ユーザー（機能制限））を示す図。
【図１６】同実施形態における実際の保管用家具の登録に係る画面遷移図（１）。
【図１７】同実施形態における実際の保管用家具の登録に係る画面遷移図（２）。
【図１８】同実施形態における実際の保管用家具の登録に係る画面遷移図（３）。
【図１９】同実施形態における実際の保管用用品の登録に係る画面遷移図（１）。
【図２０】同実施形態における実際の保管用用品の登録に係る画面遷移図（２）。
【図２１】同実施形態における実際の保管用用品の登録に係る画面遷移図（３）。
【図２２】同実施形態における仮想カテゴリに対する実際の保管用用品の登録に係る画面遷移図（１）。
【図２３】同実施形態における仮想カテゴリに対する実際の保管用用品の登録に係る画面遷移図（２）。
【図２４】同実施形態における実際の保管用用品の移動に係る画面遷移図。
【図２５】同実施形態における登録用品（文書）選択画面を示す図。
【図２６】同実施形態における年限設定画面を示す図。
【図２７】同実施形態における文書類管理装置の動作を示すフロー図。
【図２８】同実施形態における文書類管理装置の動作を示すフロー図。
【符号の説明】
【０１７９】
Ｐ・・・・・・・・文書類管理装置
ＨＴ・・・・・・・携帯型読取装置
ｉＣ・・・・・・・仮想カテゴリ
ｉＱ・・・・・・・保管用家具アイコン
ｉＲ・・・・・・・保管用用品アイコン
ｉＳ・・・・・・・文書類アイコン
ｉＺ・・・・・・・保管単位アイコン
Ｑ・・・・・・・・実際の保管用家具
Ｒ・・・・・・・・実際の保管用用品
Ｓ・・・・・・・・実際の文書類
Ｚ・・・・・・・・実際の保管単位
１ａ・・・・・・・連携管理情報取得手段
１ｂ・・・・・・・連携関係表示手段
１ｃ・・・・・・・仮想カテゴリ登録命令受付手段
１ｄ・・・・・・・連携関係管理手段
１ｅ・・・・・・・印刷対象物出力支援手段（ラベル出力支援手段）
１ｆ・・・・・・・体系違反報知手段
１ｇ・・・・・・・階層数違反報知手段
１ｈ・・・・・・・変更登録命令適否判断手段
１ｉ・・・・・・・利用履歴記憶手段
１ｊ・・・・・・・検索支援手段
１ｋ・・・・・・・仮想カテゴリ登録権限取得手段
１ｌ・・・・・・・仮想カテゴリ登録制限手段
１ｍ・・・・・・・表示権限情報取得手段
１ｎ・・・・・・・表示制限手段
１ｏ・・・・・・・チェック手段
１ｐ・・・・・・・視点表示選択命令受付手段
１ｑ・・・・・・・イベント発生情報取得手段
１ｒ・・・・・・・一時保存手段
１ｓ・・・・・・・年限情報受付手段
【図１】
2006277050.tif 000003
【図２】
2006277050.tif 000004
【図３】
2006277050.tif 000005
【図４】
2006277050.tif 000006
【図５】
2006277050.tif 000007
【図６】
2006277050.tif 000008
【図７】
2006277050.tif 000009
【図８】
2006277050.tif 000010
【図９】
2006277050.tif 000011
【図１０】
2006277050.tif 000012
【図１１】
2006277050.tif 000013
【図１２】
2006277050.tif 000014
【図１３】
2006277050.tif 000015
【図１４】
2006277050.tif 000016
【図１５】
2006277050.tif 000017
【図１６】
2006277050.tif 000018
【図１７】
2006277050.tif 000019
【図１８】
2006277050.tif 000020
【図１９】
2006277050.tif 000021
【図２０】
2006277050.tif 000022
【図２１】
2006277050.tif 000023
【図２２】
2006277050.tif 000024
【図２３】
2006277050.tif 000025
【図２４】
2006277050.tif 000026
【図２５】
2006277050.tif 000027
【図２６】
2006277050.tif 000028
【図２７】
2006277050.tif 000029
【図２８】
2006277050.tif 000030